(57)【要約】      （修正有）【課題】  刷見本等として紙を抜き取るときに、シート状物排出手段に残した紙の表面に傷が付くのを防止し損紙の発生を防止する。【解決手段】  印刷ユニット１で印刷した紙を、排紙チェーン１０の排紙爪１３がくわえ替えて搬送し、シート状物排出手段３３の積載台３６上に落下積載する。排出手段３３の搬送方向上流側の切替カム１７を排紙爪１３の走行経路に進出させると、排紙爪１３が当接し、紙のくわえが解放されて紙は案内手段２７の当て２７ｂにより移動を規制される。紙は落下時にエアーノズル３０により案内手段２７の案内孔２７ａに導かれ、搬送ベルト２２上に落下載置され、搬送ベルト２２によって搬送され、シート状物受け部材４０に受け渡される。シート状物排出手段３３の下方のシート状物受け部材４０を矢印Ａ方向に引き出し、刷見本としての紙を取り出す。【選択図】  図１
2006021887.tif 000002
【特許請求の範囲】
【請求項１】
シート状物を保持して搬送する第１の搬送手段と、
この第１の搬送手段によって搬送されたシート状物を排出するシート状物排出手段とを備えたシート状物排出装置において、
前記シート状物排出手段よりも前記シート状物の搬送方向上流側に設けられ、前記第１の搬送手段によるシート状物の保持を解除する解除手段と、
この解除手段の下方に設けられ、解除手段によって保持が解除されたシート状物を載置し、載置したシート状物を前記シート状物排出手段が設けられた方向に搬送する第２の搬送手段とを備えたことを特徴とするシート状物排出装置。
【請求項２】
請求項１記載のシート状物排出装置において、
前記シート状物排出手段の下方に設けられ、前記第２の搬送手段によって搬送されたシート状物を受け取るシート状物受け部材を備えたことを特徴とするシート状物排出装置。
【請求項３】
請求項２記載のシート状物排出装置において、
前記シート状物受け部材を移動可能としたことを特徴とするシート状物排出装置。
【請求項４】
請求項１記載のシート状物排出装置において、
前記解除手段と前記第２の搬送手段との間に設けられ、前記解除手段によって保持が解除されたシート状物を前記第２の搬送手段へ案内する案内手段を備えたことを特徴とするシート状物排出装置。
【請求項５】
請求項４記載のシート状物排出装置において、
前記案内手段の上方に設けられ、前記解除手段によって保持が解除されたシート状物を前記第２の搬送手段へ導くエアー吹き手段を備え、このエアー吹き手段によるエアーの吹き動作を前記解除手段の解除動作に連動させたことを特徴とするシート状物排出装置。
【発明の詳細な説明】
【技術分野】
【０００１】
本発明は、例えば枚葉輪転印刷機において印刷ユニットによって印刷され排紙装置の紙積台上に積載される紙を、機械を停止させることなく刷見本として所定枚数毎に抜き取ったり、印刷開始時や印刷見当不良等により発生する不正紙を抜き取るシート状物排出装置に関するものである。
【背景技術】
【０００２】
従来のシート状物排出装置は、印刷された紙を積載する紙積装置と、この紙積装置の紙搬送方向下流側に設けられた刷見本用排紙受けと、紙積装置の上方に設けられた切替カムと、排紙受けの上方に設けられた固定カムとを備え、切り替えることにより切替カムが排紙爪の走行経路から退避し、走行してきた排紙爪が固定カムに当接することによって排紙爪による紙のくわえを解放され、紙が紙積装置に排紙されずに排紙受けに排紙されるものがある（例えば、特許文献１参照）。また、排紙チェーンの走行によって排紙爪にくわえられ搬送される紙を積載するパイルと、排紙チェーンの最下流側に配置されたサンプルシート排紙用の受け板とを備えたものもある（例えば、特許文献２参照）。また、ハンドル操作によって起伏自在で起立させることにより板取り板に積載される紙の前端を揃える当てと、この当ての倒伏動作に連動して紙の落下経路に侵入して紙の板取り板への落下を規制し紙を受ける紙受けとを備え、紙受けで紙を受けている間に板取り板に積載された紙を刷見本として抜き取るものもある（例えば、特許文献３参照）。なお、本出願人は、本明細書に記載した先行技術文献情報で特定される先行技術文献以外には、本発明に密接に関連する先行技術文献を出願時までに見付け出すことはできなかった。
【特許文献１】特公昭６４−２９４号公報（３頁左欄４３行〜右欄１４行、第２図）
【特許文献２】特開２０００−６２１３４号公報（段落「００２４」、図１）
【特許文献３】特開昭６３−８７４６９号公報（３頁右上欄４〜８行および４頁左上欄４行〜右上欄１４行、第２図）
【発明の開示】
【発明が解決しようとする課題】
【０００３】
上述した従来の３つのシート状物排出装置のうち、１番目および２番目に説明した装置においては、いずれもサンプルシート用の排紙受けまたは受け板が紙積装置の紙搬送方向下流側に設けられているため、排紙受けまたは受け板に排紙される紙が紙積装置の上方を通過する。このときに、紙のあばれまたは波打ち等により紙尻が垂れ下がり、垂れ下がった紙尻が紙積装置に積載されている最上位の紙の表面に摺接するため、この紙の表面に傷が付き損紙が発生するという問題があった。また、上述した従来の３つのシート状物排出装置のうち、３番目に説明した装置においては、刷見本を抜き取るときに、刷見本が刷見本の直下の紙の表面に摺接するため、この紙の表面に傷が付き損紙が発生するという問題があった。
【０００４】
本発明は上記した従来の問題に鑑みなされたものであり、その目的とするところは、刷見本等として紙を抜き取るときに、シート状物排出手段に残した紙の表面に傷が付くのを防止し損紙の発生を防止することにある。
【課題を解決するための手段】
【０００５】
この目的を達成するために、請求項１に係る発明は、シート状物を保持して搬送する第１の搬送手段と、この第１の搬送手段によって搬送されたシート状物を排出するシート状物排出手段とを備えたシート状物排出装置において、前記シート状物排出手段よりも前記シート状物の搬送方向上流側に設けられ、前記第１の搬送手段によるシート状物の保持を解除する解除手段と、この解除手段の下方に設けられ、解除手段によって保持が解除されたシート状物を載置し、載置したシート状物を前記シート状物排出手段が設けられた方向に搬送する第２の搬送手段とを備えたものである。
【０００６】
請求項２に係る発明は、請求項１に係る発明において、前記シート状物排出手段の下方に設けられ、前記第２の搬送手段によって搬送されたシート状物を受け取るシート状物受け部材を備えたものである。
【０００７】
請求項３に係る発明は、請求項２に係る発明において、前記シート状受け部材を移動自在としたものである。
【０００８】
請求項４に係る発明は、請求項１に係る発明において、前記解除手段と前記第２の搬送手段との間に設けられ、前記解除手段によって保持が解除されたシート状物を前記第２の搬送手段へ案内する案内手段を備えたものである。
【０００９】
請求項５に係る発明は、請求項４に係る発明において、前記案内手段の上方に設けられ、前記解除手段によって保持が解除されたシート状物を前記第２の搬送手段へ導くエアー吹き手段を備え、このエアー吹き手段によるエアーの吹き動作を前記解除手段の解除動作に連動させたものである。
【発明の効果】
【００１０】
請求項１に係る発明によれば、シート状物排出手段よりもシート状物搬送方向上流側においてシート状物が抜き取られるため、シート状物排出手段に排出されたシート状物の表面に傷が付くようなことがなく損紙の発生を防止することができる。
【００１１】
請求項２に係る発明によれば、シート状物受け部材をシート状物排出手段の下方に設けたことにより、シート状物受け部材がシート状物排出手段の外側に突出しないから省スペース化を図ることができる。
【００１２】
請求項３に係る発明によれば、シート状物受け部材をシート状物排出手段の下方から機外に移動させた状態で、シート状物をシート状物受け部材から抜き取ることができるため作業性が向上する。
【００１３】
請求項４に係る発明によれば、解除手段によって保持が解除されたシート状物を案内手段によって確実に第２の搬送手段へ案内することができる。
【００１４】
請求項５に係る発明によれば、解除手段によって保持が解除されたシート状物をエアー吹き手段によって確実に案内手段へ案内することができる。
【発明を実施するための最良の形態】
【００１５】
以下、本発明の実施の形態を図に基づいて説明する。図１は本発明に係るシート状物排出装置を適用した枚葉輪転印刷機の排紙装置の側面図、図２は図１におけるII-II 線断面矢視図である。図１に符号１で示す印刷ユニットは、周面に版が装着された版胴２と、この版胴２に対接するゴム胴３と、このゴム胴３と上流側の渡し胴５とに対接する圧胴４とによって概略構成されている。
【００１６】
圧胴４には図示を省略した排紙胴が対接されており、この排紙胴と同軸上に設けられたスプロケット６と、排紙ユニット７の終端側に設けたスプロケット８との間には、左右一対の排紙チェーン１０，１０（一方の排紙チェーン１０は図示を省略）が左右の排紙フレーム９，９に沿って張架されている。これら左右の排紙チェーン１０，１０間には、爪軸１１と爪台軸１２とが一組となって、排紙チェーン１０の走行方向に一定の間隔をおいて複数組支架されている。これら爪軸１１と爪台軸１２には、左右の排紙チェーン１０，１０間に、第１の搬送手段としての複数個の排紙爪１３と爪台１４とが互いに対向してそれぞれ並設されている。これら排紙爪１３と爪台１４とが、圧胴４のくわえ爪装置（図示せず）からくわえ替えされたシート状物しての紙をくわえて、排紙チェーン１０の走行とともに図に矢印Ａで示す方向に搬送するように構成されている。
【００１７】
１６は乾燥機であって、印刷ユニット１によって印刷され、排紙爪１３と爪台１４とによってくわえられ搬送される紙の印刷面を乾燥する。１７は解除手段としての切替カムであって、後述するシート状物排出手段３３よりも紙搬送方向上流側（矢印Ａと反対方向）に設けられており、一端側が軸１８を介して排紙フレーム９側に回動自在に軸支され、中央部にはシリンダエンドが排紙フレーム９側に枢支されたエアーシリンダ１９のロッド２０が枢着されている。したがって、エアーシリンダ１９のロッド２０が後退すると切替カム１７は軸１８を中心として図中時計方向に回動し、排紙爪１３の走行経路から退避した位置に位置付けられる。一方、ロッド２０が前進すると切替カム１７は軸１８を中心として図中反時計方向に回動し、排紙爪１３の走行経路に進出た解除動作状態になり、走行してくる排紙爪１３のカムフォロア１５がこの切替カム１７に当接することにより、排紙爪１３による紙のくわえが解放される。
【００１８】
２２は第２の搬送手段としての搬送ベルトであって、駆動ローラ２３と従動ローラ２４との間で床２５に沿うように張架され、図中右半分は切替カム１７の下方に位置付けられ、左半分は後述するシート状物排出手段３３の下方に近接する位置まで延設されている。駆動ローラ２３は図示を省略したモータによって図中反時計方向に回転し、搬送ベルト２２は矢印Ａ方向に走行する。この搬送ベルト２２は、上述した切替カム１７によって排紙爪１３によるくわえが解放され自重により下方に落下する紙を載置し、載置した紙を後述するシート状物排出手段３３が設けられた方向、すなわち矢印Ａ方向に搬送する。
【００１９】
２７は案内手段であって、切替カム１７と搬送ベルト２２との間に水平状態で位置付けられるようにステー２８を介して左右の排紙フレーム９，９に取り付けられ、上下が開口した枠状に形成され、中央部には断面が長方形の案内孔２７ａが設けられており、この案内孔２７ａの内形の寸法は、最大サイズの紙の外形よりもやや大きく形成されている。また、この案内手段２７の矢印Ａ方向の端部には、当て２７ｂが立設されている。この案内手段２８は、上述した切替カム１７によって排紙爪１３によるくわえが解放され自重により下方に落下する紙を搬送ベルト２２上へ案内する。
【００２０】
３０はエアー吹き手段としてのエアーノズルであって、バルブを介して吐出ポンプ（いずれも図示せず）に接続されており、切替カム１７によって排紙爪１３によるくわえが解放され、案内手段２７の当て２７ｂによりＡ方向への移動が規制された後自重により下方に落下する紙を、案内手段２７の案内孔２７ａに導くように、エアー３１が下方に向かって吹き出される。３２，３２は排紙チェーン１０に沿って設けられた紙案内板である。
【００２１】
排紙チェーン１０の走行経路の終端部に設けられたシート状物排出手段３３は、昇降チェーン３４に昇降自在に吊り下げられた紙積板３５と、この紙積板３５に載置され紙を積載する積載台３６と、排紙爪１３によってくわえられ搬送される紙のあばれを規制する吸引車３７と、排紙爪１３によるくわえが解放され積載台３６に落下する紙の前端を揃える当て３８とによって概略構成されている。このように構成されていることにより、排紙チェーン１０の走行により排紙爪１３にくわえられて搬送される紙は、吸引車３７によって吸引されながら、図示を省略した固定カムに排紙爪１３のカムフォロア１５が当接することにより、排紙爪１３による紙のくわえが解放され、紙は当て３８によって前端を揃えられて積載台３６上に積載される。
【００２２】
４０はシート状物排出手段３３の下方に設けられたシート状物受け部材であって、扁平な直方体状に形成され、上面に内形の寸法が最大サイズの紙の外形よりも大きく形成された凹部４０ａが設けられている。このシート状物受け部材４０は、下面に設けたローラ４１によって床２５上を移動自在で、矢印Ａ方向の端部には取手４２が設けられている。この取手４２を把持し、このシート状物受け部材４０を搬送ベルト２２に近接させるように、矢印Ａ方向と反対方向に移動させシート状物排出手段３３の下方に位置付けることにより、搬送ベルト２２によって矢印Ａ方向に搬送された紙が凹部４０ａで受け取られるように構成されている。
【００２３】
次に、このように構成されたシート状物排出装置においてシート状物の排出動作を説明する。予め、エアーシリンダ１９のロッド２０が後退し、切替カム１７が排紙チェーン１０の走行経路から退避しているとともに、エアーノズル３０のバルブが閉じてエアーノズル３０へのエアーの供給が停止し、かつ駆動ローラ２３を駆動するモータの駆動が停止し搬送ベルト２２の走行が停止している。この状態で、印刷を開始すると、印刷ユニット１のゴム胴３と圧胴４との間を通過し表面が印刷された紙は、圧胴４のくわえ爪装置から排紙チェーン１０の排紙爪１３にくわえ替えられ、排紙チェーン１０の走行によって矢印Ａ方向に搬送される。紙がシート状物排出手段３３まで搬送されると、図示を省略した固定カムに排紙爪１３のカムフォロア１５が当接し、排紙爪１３による紙のくわえが解放され、紙は当て３８によって前端を揃えられて積載台３６上に積載される。
【００２４】
ここで、刷見本を取り出したい場合には、図示を省略した切替スイッチをＯＮとすると、エアーシリンダ１９のロッド２０が前進し、切替カム１７が排紙爪１３の走行経路に進出するとともに、この解除動作に連動して、エアーノズル３０のバルブが開きエアーノズル３０からエアー３１が吹き出し、かつ駆動ローラ２３のモータが駆動し、搬送ベルト２２が矢印Ａ方向に走行する。この状態で、圧胴４のくわえ爪装置から排紙チェーン１０の排紙爪１３にくわえ替えられ、排紙チェーン１０の走行によって矢印Ａ方向に搬送された紙は、排紙爪１３のカムフォロア１５が切替カム１７に当接することにより、排紙爪１３によるくわえが解放され、案内手段２７の当て２７ｂによりＡ方向への移動を規制された後、自重により下方に落下する。
【００２５】
このとき、エアーノズル３０からエアー３１が下方に吹き出されているため、紙は自重とともにこのエアー３１によって下方に確実に落下し、案内手段２７の案内孔２７ａに紙が導かれる。また、切替カム１７と搬送ベルト２２との間に案内手段２７を設けたことにより、排紙爪１３によるくわえから解放され下方に落下する紙は、案内手段２７の案内孔２７ａを通過して搬送ベルト２２上に確実に案内され載置される。
【００２６】
搬送ベルト２２上に載置された紙は、搬送ベルト２２の走行によって矢印Ａ方向に搬送され、搬送ベルト２２の矢印Ａ方向の端部において、シート状物受け部材４０の凹部４０ａに受け渡される。シート状物受け部材４０に所定枚数の紙が受け渡されたら、切替スイッチをＯＦＦとし、エアーシリンダ１９のロッド２０を後退させ、切替カム１７を排紙チェーン１０の走行経路から退避させるとともに、エアーノズル３０のバルブを閉じてエアーノズル３０へのエアーの供給を停止させ、かつ駆動ローラ２３のモータの駆動を停止させ搬送ベルト２２の走行を停止させる。
【００２７】
この状態としてから、シート状物受け部材４０の取手４２を把持して、シート状物受け部材４０を矢印Ａ方向に移動させ、シート排出手段３３の下方から引き出し、シート状物受け部材４０の凹部４０ａから刷見本としての紙を取り出す。このように、シート状物排出手段３３よりもシート状物搬送方向上流側において、排紙爪１３のくわえを解放して紙を抜き取るようにしたため、抜き取る紙によって積載台３６上に積載された紙の表面が摺接されないから、積載台３６上に積載された紙の表面に傷が付くようなことがなく損紙の発生を防止することができる。また、シート状物受け部材４０をシート状物排出手段３３の下方に設けたことにより、シート状物受け部材４０がシート状物排出手段３３の外側に突出しないから省スペース化を図ることができる。また、シート状物受け部材４０をシート状物排出手段３３の下方から機外に移動させた状態で、紙をシート状物受け部材４０から抜き取ることができるため作業性が向上する。
【００２８】
図３は本発明の第２の実施の形態を示す枚葉輪転印刷機の排紙装置の側面図である。この第２の実施の形態においては、排紙チェーン１０の全長が短くて切替カムを設けるスペースがない場合を示し、切替カム５０を排紙胴と同軸上のスプロケット６内に設けたものである。すなわち、切替カム５０はスプロケット６に沿うようにスプロケット６内に設けられており、軸５１を介して排紙フレーム９側に一端側が回動自在に支持され、中央部にはシリンダエンドが排紙フレーム９側に枢支されたエアーシリンダ５２のロッド５３が枢着されている。したがって、エアーシリンダ５２のロッド５３が後退すると切替カム５０は軸５１を中心として図中時計方向に回動し、排紙爪１３の走行経路から退避した位置に位置付けられる。
【００２９】
一方、ロッド５３が前進すると切替カム５０は軸５１を中心として図中反時計方向に回動し、排紙爪１３の走行経路に進出し、走行する排紙爪１３のカムフォロア１５がこの切替カム５０に当接することにより、排紙爪１３による紙のくわえが解放される。くわえが解放された紙は、案内手段２７の当て２７ｂによりＡ方向への移動を規制された後、エアーノズル３０から吹き出されたエアーおよび自重によって案内手段２７の案内孔２７ａに導かれ、案内孔２７ａを通過して搬送ベルト２２上に載置される。搬送ベルト２２上に載置された紙は、搬送ベルト２２によって矢印Ａ方向に搬送されシート状物受け部材４０に受け渡される。
【００３０】
なお、本実施の形態においては、シート状物受け部材４０を矢印Ａ方向に移動させてシート状物排出手段３３の下方から取り出したが、矢印Ａ方向と直交する方向、すなわちシート状物排出手段３３の幅方向に移動させてもよい。また、シート状物受け部材４０をシート状物排出手段３３の下方に設けたが、シート状物受け部材４０を搬送ベルト２２に取り付けて、切替カム１７の下方とシート状物排出手段３３の下方との間を移動自在としてもよい。また、シート状物受け部材４０を設けたが、搬送ベルト２２をシート状物排出手段３３の下方またはそれ以上に延設してもよく、その場合にはシート状物受け部材４０を設けなくてもよい。また、シート状物として紙の例を説明したが、塩化ビニールシート等のフィルム状のシートでもよい。また、案内手段２７を案内孔２７ａと当て２７ｂとによって構成したが、排紙爪１３によるくわえを解除されたシート状物が確実に搬送ベルト２２上に落下するように当て２７ｂだけの構成としてもよい。
【図面の簡単な説明】
【００３１】
【図１】本発明に係るシート状物排出装置を適用した枚葉輪転印刷機の排紙装置の側面図である。
【図２】図１におけるII-II 線断面矢視図である。
【図３】本発明の第２の実施の形態を示す枚葉輪転印刷機の排紙装置の側面図である。
【符号の説明】
【００３２】
１…印刷ユニット、７…排紙ユニット、１０…排紙チェーン、１３…排紙爪（第１の搬送手段）、１５…カムフォロア、１７，５０…切替カム（解除手段）、１９，５２…エアーシリンダ、２２…搬送ベルト（第２の搬送手段）、２７…案内手段、３０…エアーノズル（エアー吹き手段）、３３…シート状物排出手段、４０…シート状物受け部材。
【図１】
2006021887.tif 000003
【図２】
2006021887.tif 000004
【図３】
2006021887.tif 000005